(57)【要約】【課題】  外ケースに対する内容器の詰替作業が容易に行える詰替式容器を提供する。【解決手段】  液体が充填される内容器１１と、内容器１１を収納し得る開閉可能な外ケース２で構成され、内容器１１は、軟質の本体袋部１２から、外周に雄ネジを形成した硬質の首部１４が立設されているとともに、首部１４の付け根付近の外周には係合溝１３が形成されてなり、一方の外ケース２は縦割りされた第１部材３と第２部材４がヒンジで連結され、第１部材３および第２部材４の上端側は、略錐形状に形成されて、上端にはそれぞれ内容器１１の係合溝１３に係合し得る嵌合リング部３ｃ，４ｃが形成されている。【選択図】  図６
2006076586.tif 000002
【特許請求の範囲】
【請求項１】
液体が充填される内容器と、該内容器を収納し得る開閉可能な硬質の外ケースで構成され、前記内容器は、軟質の本体袋部から外周に雄ネジを形成した硬質の首部が立設されているとともに、該首部の付け根付近の外周には係合溝が形成されてなり、一方の前記外ケースは、縦割りされた第１部材と第２部材がヒンジ部で連結され、前記第１部材および第２部材の上端側は略錐形状に形成されて、上端にはそれぞれ前記内容器の係合溝に嵌合し得る嵌合リング部が形成されていることを特徴とする詰替式容器。
【請求項２】
前記外ケースを構成する第１部材と第２部材には、それぞれ握手部が一体形成されていることを特徴とする請求項１に記載の詰替式容器。
【発明の詳細な説明】
【技術分野】
【０００１】
本発明は、液体が充填される内容器を詰替できる詰替式容器に関するものである。
【背景技術】
【０００２】
従来、詰替式容器として、例えば特許文献１に開示されているような構造のものがある。
【特許文献１】特許第３０５５１２０号公報
【発明の開示】
【発明が解決しようとする課題】
【０００３】
従来の詰替式容器は、外容器の上部を開閉させて、上方より内容器を挿入させる形式のものであるため、外容器内に内容器を上方側から収納させる際に、内容器が引っ掛かり易く、内容器を外容器内に収納させる作業が困難を伴い、また外容器から内容器を取り出す際にも、内容器を上方側へ引き上げる際に引っ掛かりが生じ易く、詰替作業が困難を伴うという問題点があった。
【課題を解決するための手段】
【０００４】
本発明は上記従来の問題点に鑑み案出したものであって、極めて容易に詰替することができる詰替式容器を提供することを目的とし、その請求項１は、液体が充填される内容器と、該内容器を収納し得る開閉可能な硬質の外ケースで構成され、前記内容器は、軟質の本体袋部から外周に雄ネジを形成した硬質の首部が立設されているとともに、該首部の付け根付近の外周には係合溝が形成されてなり、一方の前記外ケースは、縦割りされた第１部材と第２部材がヒンジ部で連結され、前記第１部材および第２部材の上端側は、略錐形状に形成されて、上端にはそれぞれ前記内容器の係合溝に嵌合し得る嵌合リング部が形成されていることである。
【０００５】
また請求項２は、前記外ケースを構成する第１部材と第２部材には、それぞれ握手部が一体形成されていることである。
【発明の効果】
【０００６】
本発明の詰替式容器は、液体が充填される内容器と、内容器を収納し得る開閉可能な硬質の外ケースで構成され、内容器は、軟質の本体袋部から外周に雄ネジを形成した硬質の首部が立設されているとともに、首部の付け根付近の外周には係合溝が形成されてなり、一方の前記外ケースは、縦割りされた第１部材と第２部材がヒンジ部で連結され、第１部材および第２部材の上端側は略錐形状に形成されて、上端にはそれぞれ内容器の係合溝に嵌合し得る嵌合リング部が形成されていることにより、ヒンジ部を介して第１部材と第２部材を左右に開けて水平な台上等に置き、その状態で第１部材または第２部材に、液体が充填された内容器を容易に収納させ、収納時に外ケースの嵌合リング部に内容器の係合溝を整合させて、その状態で外ケースを閉じることで、内容器の嵌合溝内に外ケースの嵌合リング部が嵌まり込んで、外ケース内に内容器を良好に固定させて収納させることができる。
【０００７】
また、外ケースを構成する第１部材と第２部材には、それぞれ握手部が一体形成されていることにより、外ケースの握手部を持って、外ケースを容易に移動させることができ、また握手部を持って良好に外ケースを傾けて、液体を外部に流出させることができるものとなる。
【実施例】
【０００８】
以下、本発明の実施例を図面に基づいて説明する。
図１は、内部に内容器を収納して閉じた状態の外ケースの外観斜視図であり、また図２は、図１の正面構成図であり、また図３は、図１の側面構成図である。
詰替式容器１は、外ケース２と内容器１１で構成されており、外ケース２は図４の展開斜視図で示すような構造となっている。
外ケース２は、第１部材３と第２部材４に分割されており、第１部材３と第２部材４はヒンジ部５で連結されて、このヒンジ部５を介して第１部材３と第２部材４を開閉させることができるように構成されている。
【０００９】
第１部材３は、底部３ａの左右両端から一体状に立ち上げて左右の側面部３ｂ，３ｂが形成されており、左側の側面部３ｂには、内側に開口６を形成させて外側へ湾曲した握手部７が一体化されている。
また、この握手部７の内端面には凹み状に複数の係止孔９，９，９が形成されている。
第１部材３の左右の側面部３ｂ，３ｂの上端側は湾曲した錐形状となっており、その上端には半円状の嵌合リング部３ｃが形成されている。
また、側面部３ｂからこの嵌合リング部３ｃに至る錐形部の内端面には、突条３ｄ，３ｄが形成されている。
【００１０】
一方、第２部材４も第１部材３とほぼ同型に形成されており、底部４ａの左右両端から側面部４ｂ，４ｂが上方に向かって一体形成されており、左右の側面部４ｂ，４ｂの上端は錐形状を成して、その上端には半円状の嵌合リング部４ｃが一体形成されている。
また、この錐形状の部位には、前記第１部材３の突条３ｄが嵌まり込む係入溝４ｄが形成されている。また、右側の側面部４ｂには、開口６を形成させて、外側へ突出して握手部７が一体形成されており、この握手部７には前記第１部材３の係止孔９内に嵌まり込む複数の突起８，８，８が一体形成されている。
また、この第２部材４の背面および第１部材３の背面には、それぞれ縦方向に直線または傾斜状のスリット窓１０，１０が貫通形成されている。
【００１１】
図５には、内容器１１の概略図を示しており、内容器１１は袋状に軟質シート材で形成された本体袋部１２を有し、この本体袋部１２の上端には硬質の雄ネジ首部１４が一体状に立設されており、雄ネジ首部１４の外周には、キャップ１５を螺合させるための雄ネジが形成されている。この外周の雄ネジの下端、即ち雄ネジ首部１４の本体袋部１２に対する付根付近には、その外周に係合溝１３が凹み状に形成されており、この係合溝１３は、雄ネジ首部１４と同じ硬質の樹脂で形成されている。
【００１２】
図４のように、外ケース２の第１部材３と第２部材４を開けて、テーブルの上等の水平部に開けた状態に置き、この状態で、例えば第１部材３内に上方より飲料水を充填した内容器１１を水平にして内部に収納させ、この時に内容器１１の係合溝１３を嵌合リング３ｃに嵌め合わせておく。
この状態で第１部材３に対し第２部材４を閉じて、係止孔９，９，９内に突起８，８，８を嵌合させて、第１部材３に対し第２部材４を固定することができ、この時に第２部材４の嵌合リング部４ｃが内容器１１の係合溝１３に嵌合されることとなる。
【００１３】
即ち、図６に示すように、内容器の嵌合溝１３には、嵌合リング部３ｃ，４ｃが嵌合状態となる。
外ケース２の第１部材３と第２部材４を閉じた状態では、図１〜図３に示すような状態となり、握手部７，７が整合されて、この握手部７，７の内側の開口６内に指を入れて、良好に握手部７を手で握り、外ケース２を持ち上げて良好に移動させることができるものとなる。
また、キャップ１５を外して外ケース２を傾けることにより、内容器１１内に充填されている飲料水を首部１４から外側へ流出させて、コップ等に良好に注ぐことができるものとなる。
【００１４】
なお、外ケース２を立設状態で冷蔵庫等に入れておく時にも、嵌合リング部３ｃ，４ｃが内容器１１の係合溝１３に嵌合されているため、内容器１１の首部１４は、外ケースの上端から上方へ立設された状態に維持され、外側からこの首部１４に対しキャップ１５を良好に着脱させることができるものとなる。
【００１５】
なお、図４の外ケースは、第１部材３と第２部材４が、ほぼ中心で縦割りされて完全に２分割された形状となっているが、図１，図２，図３に示すように、例えば一方の第１部材３の底部３ａを第２部材４側へ延長させて一体形成し、第２部材４側は底部が存在しないような形状にしておくこともできるものである。
なお、スリット窓１０，１０は、外ケース２内に収納される内容器１１内の飲料水の水量を外側から視認できるように設けたものであり、しかもその幅をかなり幅広に開口させることで、冷蔵庫内に入れた際に冷気が良好に内部の内容器１１に伝わるものとなる。
【図面の簡単な説明】
【００１６】
【図１】内容器を内部に収納させた外ケースの外観斜視図である。
【図２】図１の正面構成図である。
【図３】図１の側面構成図である。
【図４】形状を変更した外ケースを開けた状態の展開斜視図である。
【図５】内容器の概略断面構成図である。
【図６】内容器の係合溝に外ケースの嵌合リング部を嵌合させた状態の要部拡大斜視図である。
【符号の説明】
【００１７】
１  詰替式容器
２  外ケース
３  第１部材
３ａ  底部
３ｂ  側面部
３ｃ  嵌合リング部
３ｄ  突条
４  第２部材
４ａ  底部
４ｂ  側面部
４ｃ  嵌合リング部
４ｄ  係入溝
５  ヒンジ部
６  開口
７  握手部
８  突起
９  係止孔
１０  スリット窓
１１  内容器
１２  本体袋部
１３  係合溝
１４  雄ネジ首部
１５  キャップ
【図１】
2006076586.tif 000003
【図２】
2006076586.tif 000004
【図３】
2006076586.tif 000005
【図４】
2006076586.tif 000006
【図５】
2006076586.tif 000007
【図６】
2006076586.tif 000008